(57)【要約】【課題】コイルの剥離や損傷を防ぎつつ製造が容易な平面スピーカを提供する。【解決手段】コイル３０Ｕ，３０Ｌに流れる電流の振幅がプラスとなると、コイル３０Ｕ周辺の磁界が強まる一方、コイル３０Ｌ周辺の磁界が弱まり、強磁性体である振動体１０は磁石２０Ｕ側へ変位する。コイル３０Ｕ，３０Ｌに流れる電流の振幅がマイナスとなると、コイル３０Ｌ周辺の磁界が強まる一方、コイル３０Ｕ周辺の磁界が弱まり、強磁性体である振動体１０は磁石２０Ｌ側へ変位する。コイルは磁石２０Ｕ，２０Ｌの表面に配置され、振動体１０と共に振動しないため、コイルの剥離や損傷などがない。また、コイルは外側に面しておらず人間や物に接触するおそれがないため、コイルを保護する被膜を必要とせず、製造に手間がかかることがない。【選択図】図５
2009278517.tif 000002
【特許請求の範囲】
【請求項１】
板状で一方の面から他方の面へ貫通する孔を有する第１磁石と、
板状で一方の面から他方の面へ貫通する孔を有し、前記第１磁石と対向および離間して配置された第２磁石と、
面状で可撓性を有し、前記第１磁石と前記第２磁石との間に支持された振動体と、
前記第１磁石のうち前記振動体と対向している面上に配置された面状の第１コイルと、
前記第２磁石のうち前記振動体と対向している面上に配置された面状の第２コイルと
を有し、
前記第１磁石において前記第１コイルが配置された面側の極と前記第２磁石において前記第２コイルが配置された面側の極は同種の極である平面スピーカ。
【請求項２】
板状で一方の面から他方の面へ貫通する孔を有する第１磁石と、
板状で一方の面から他方の面へ貫通する孔を有し、前記第１磁石と対向および離間して変位可能に支持された第２磁石と、
面状で可撓性を有し、前記第２磁石の孔を塞ぐ振動体と、
前記第１磁石のうち前記振動体と対向している面上に配置された面状の第１コイルと、
前記第２磁石のうち前記振動体と対向している面上に配置された面状の第２コイルと
を有し、
前記第１磁石において前記第１コイルが配置された面側の極と前記第２磁石において前記第２コイルが配置された面側の極は同種の極である平面スピーカ。
【請求項３】
前記第１磁石と前記第２磁石は円環形状であり、
前記第１コイルと前記第２コイルは渦状に配線されて、内周側と外周側とで配線方向が逆であること
を特徴とする請求項１または請求項２に記載の平面スピーカ。
【請求項４】
前記第１磁石と前記第２磁石は円環形状であって板状の両面で外周側から内周側に向けてＮ極とＳ極とが交互に位置し、
前記第１コイルは、前記第１磁石のＮ極上とＳ極上とで配線方向が逆であり、
前記第２コイルは、前記第２磁石のＮ極上とＳ極上とで配線方向が逆であること
を特徴とする請求項１または請求項２に記載の平面スピーカ。
【発明の詳細な説明】
【技術分野】
【０００１】
本発明は、平面スピーカに関する。
【背景技術】
【０００２】
特許文献１に開示された平面スピーカは、振動膜と複数の永久磁石を有しており、振動膜の両面には渦巻き状で面状のコイルが複数配置されている。また、コイルと永久磁石は対向しており、コイルに電流が流されると振動膜上においてコイルが配置されている面と垂直方向に力が働いて振動膜が変位する。そして、コイルに音響信号を供給すると、音響信号に応じてコイルに流れる電流が変化し、これに応じて振動膜に働く力も変化することとなり、振動膜が振動して音響信号に応じた音声がスピーカから発生する。
【０００３】
【特許文献１】特開２００１−３３３４９３号公報
【発明の開示】
【発明が解決しようとする課題】
【０００４】
振動膜にコイルが配置されているスピーカにおいては、コイルに電流が流れると熱が発生し、また、コイルが振動膜と共に激しく振動して力を受けるため、振動膜とコイルとの接着力が弱いとコイルが振動膜から剥離するおそれがある。そこで特許文献１に開示された平面スピーカでは、コイルを覆うように被膜が設けられており、この被膜によりコイルは振動膜に押さえつけられ、コイルが振動膜から剥離するのが阻止されている。
しかしながら、振動膜に対して被膜を設けるようにすると、製造の際には被膜を設ける手間がかかることとなる。
【０００５】
本発明は、上述した背景の下になされたものであり、コイルの剥離や損傷を防ぎつつ製造が容易な平面スピーカを提供することを目的とする。
【課題を解決するための手段】
【０００６】
上述した課題を解決するために本発明は、板状で一方の面から他方の面へ貫通する孔を有する第１磁石と、板状で一方の面から他方の面へ貫通する孔を有し、前記第１磁石と対向および離間して配置された第２磁石と、面状で可撓性を有し、前記第１磁石と前記第２磁石との間に支持された振動体と、前記第１磁石のうち前記振動体と対向している面上に配置された面状の第１コイルと、前記第２磁石のうち前記振動体と対向している面上に配置された面状の第２コイルとを有し、前記第１磁石において前記第１コイルが配置された面側の極と前記第２磁石において前記第２コイルが配置された面側の極は同種の極である平面スピーカを提供する。
【０００７】
また、本発明は、板状で一方の面から他方の面へ貫通する孔を有する第１磁石と、板状で一方の面から他方の面へ貫通する孔を有し、前記第１磁石と対向および離間して変位可能に支持された第２磁石と、面状で可撓性を有し、前記第２磁石の孔を塞ぐ振動体と、前記第１磁石のうち前記振動体と対向している面上に配置された面状の第１コイルと、前記第２磁石のうち前記振動体と対向している面上に配置された面状の第２コイルとを有し、前記第１磁石において前記第１コイルが配置された面側の極と前記第２磁石において前記第２コイルが配置された面側の極は同種の極である平面スピーカを提供する。
【０００８】
上記構成においては、前記第１磁石と前記第２磁石は円環形状であり、前記第１コイルと前記第２コイルは渦状に配線されて、内周側と外周側とで配線方向が逆であってもよい。
また、上記構成においては、前記第１磁石と前記第２磁石は円環形状であって板状の両面で外周側から内周側に向けてＮ極とＳ極とが交互に位置し、前記第１コイルは、前記第１磁石のＮ極上とＳ極上とで配線方向が逆であり、前記第２コイルは、前記第２磁石のＮ極上とＳ極上とで配線方向が逆であってもよい。
【発明の効果】
【０００９】
本発明によれば、コイルの剥離や損傷を防ぎつつ製造が容易な平面スピーカを得ることができる。
【発明を実施するための最良の形態】
【００１０】
［第１実施形態］
図１は、本発明の一実施形態に係る平面スピーカ１の外観を模式的に示した図、図２は、平面スピーカ１の断面を模式的に示した図である。図に示したように平面スピーカ１は、振動体１０、ダンパ１５、磁石２０Ｕ，２０Ｌ、コイル３０Ｕ，３０Ｌが配線されるフィルム３５、保持部４０Ｕ，４０Ｌとを備えている。
なお、図中の各構成要素の寸法は、構成要素の形状を容易に理解できるように実際の寸法とは異ならせてある。
【００１１】
（平面スピーカ１の各部の構成）
まず、磁石２０Ｕ，２０Ｌは永久磁石であり、板状で円環の形状となっている。そして、磁石２０Ｕ，２０Ｌは、一方の面側がＮ極で、Ｎ極と反対側の面側がＳ極となっている。
振動体１０は、薄い膜状のプラスチックの表面に強磁性体を膜状に塗布したものであり、形状は円形となっている。なお、振動体１０は上記のものに限定されず、強磁性体の金属を薄い膜状にしたものであってもよい。
ダンパ１５は、振動体１０を支持するための部材であって、弾性を有する素材を円環の形状にしたものである。ダンパ１５は、力が掛かると変形し、掛かっていた力がなくなると元の形状に戻る。
【００１２】
フィルム３５は、プラスチックを薄い膜状にしたものであり、コイル３０Ｕ，３０Ｌの土台となるものである。フィルム３５は円環の形状をしており、内径は磁石２０Ｕ，２０Ｌの内径と同じで、外径も磁石２０Ｕ，２０Ｌの外径と同じとなっている。
【００１３】
コイル３０Ｕ，３０Ｌは、導電性を有する金属をフィルム３５の表面に渦巻き状に薄く配線したものである。
図３（ａ）はフィルム３５をコイル３０Ｕが配線された側から見た模式図であり、この図に示したようにコイル３０Ｕは、外側から内側に向けて反時計回り（左回り）に配線パターンが設けられ、音響信号が入力される入力端３１Ａ，３１Ｂを配線パターンの両端部に有しており、フィルム３５の内周と外周との間の所定部分に達すると、配線パターンの向きが反対の時計方向（右回り）となっている。
また、図３（ｂ）はフィルム３５をコイル３０Ｌが配線された側から見た模式図であり、この図に示したようにコイル３０Ｌは、外側から内側に向けて時計回り（右回り）に配線パターンが設けられ、音響信号が入力される入力端３２Ａ，３２Ｂを配線パターンの両端部に有しており、フィルム３５の内周と外周との間の所定部分に達すると、配線パターンの向きが反対の反時計方向（左回り）となっている。
なお、本実施形態においては、コイル３０Ｕ，３０Ｌにおいて配線パターンの向きが反対となる位置は、フィルム３５の径方向の中点の位置となっている。
【００１４】
保持部４０Ｕ，４０Ｌは、磁石２０Ｕ，２０Ｌを固定するための部材であり、絶縁性を有する非磁性体（例えばプラスチック）で形成されている。
保持部４０Ｕ，４０Ｌは円筒の形状であって、２つある円形の開口部の一方は縁部分が円筒の径方向（円形の開口部の中心方向）へ円環状に張り出しており、一方の開口部の径が他方の開口部の径より小さくなっている（以下の説明においては、保持部４０Ｌにおいて径の小さい側の開口部を第１開口部、径の大きい側の開口部を第２開口部と称し、保持部４０Ｕにおいて径の小さい側の開口部を第３開口部、径の大きい側の開口部を第４開口部と称する）。
また、保持部４０Ｌは、音響信号が入力される端子４０ＬＡと端子４０ＬＢとを有しており、保持部４０Ｕは、音響信号が入力される端子４０ＵＡ、端子４０ＵＢを有している。
【００１５】
なお、保持部４０Ｕ，４０Ｌの内径は、磁石２０Ｕ，２０Ｌが円筒の中空部分に収まるように磁石２０Ｕ，２０Ｌの外径より若干大きくなっている。
また、径が小さい方の第１，第３開口部については、開口部の直径は磁石２０Ｕ，２０Ｌの外径より小さくなっており、中空部分に収められた磁石２０Ｕ，２０Ｌが円環状に張り出した部分で支えられるようになっている。
また、保持部４０Ｌの中心軸に沿った方向の長さは、保持部４０Ｕの中心軸に沿った方向の長さより長くなっている。
【００１６】
（平面スピーカ１の全体構成）
平面スピーカ１においては、コイル３０Ｌが配線されたフィルム３５が磁石２０ＬのＮ極側に接着されている。そして、この磁石２０Ｌが保持部４０Ｌの第２開口部側からＳ極側を第１開口部に向けて保持部４０Ｌに収められており、磁石２０ＬのＳ極側が第１開口部の円環状に張り出した部分に接着されている。また、コイル３０Ｌの入力端３２Ａはリード線（図示略）を介して端子４０ＬＡに接続されており、入力端３２Ｂはリード線（図示略）を介して端子４０ＬＢに接続されている。
【００１７】
また、平面スピーカ１においては、ダンパ１５の内周側の縁部分に振動体１０が接着されており、このダンパ１５の外周側の縁部分が保持部４０Ｌの内周面に接着され、磁石２０Ｌとコイル３０Ｌより上方に位置している。
【００１８】
一方、コイル３０Ｕが配置されたフィルム３５は、磁石２０ＵのＮ極側に接着されている。そして、この磁石２０Ｕは保持部４０Ｕの第４開口部側からＳ極側を第３開口部に向けて保持部４０Ｕに収められており、磁石２０ＵのＳ極側が第３開口部の円環状に張り出した部分に接着されている。また、コイル３０Ｕの入力端３１Ａは、リード線（図示略）を介して端子４０ＵＡに接続されており、入力端３１Ｂは、リード線（図示略）を介して端子４０ＵＢに接続されている。
【００１９】
そして、保持部４０Ｕの第４開口部側の端部と、保持部４０Ｌの第２開口部側の端部とが接着されており、平面スピーカ１においては、磁石２０ＵのＮ極と磁石２０ＬのＮ極とが対向し、この２つのＮ極の間の中間位置に振動体１０が位置している。
また、平面スピーカ１においては、コイル３０Ｕはコイル３０Ｌと対向するため、コイル３０Ｕとコイル３０Ｌとを磁石２０ＵのＳ極側から見ると、その配線パターンの向きは両方とも同じとなっている。
【００２０】
（平面スピーカ１の動作）
次に、平面スピーカ１の動作について図４〜図６を用いて説明する。
なお、以下の説明においては、図４に示した音響信号が入力された場合を例にして動作の説明を行う。また、図５，図６は平面スピーカ１の作用を説明するための模式図であって、コイル３０Ｕ，３０Ｌの部分を拡大した図であり、コイルの配線の断面中に「・」が記載されたものは図面の裏から表に向かって電流が流れていることを意味し、コイルの配線の断面中に「×」が記載されたものは図面の表から裏に向かって電流が流れていることを意味するものとする。また、図中の二点鎖線上の矢印は、コイルに電流が流れたことにより発生する磁界の方向を表している。
【００２１】
図４に示した信号が平面スピーカ１の端子４０ＬＡ，４０ＬＢおよび端子４０ＵＡ，４０ＵＢに供給された場合、まず、音響信号の振幅が０の時点においては、コイル３０Ｕ，３０Ｌのいずれにも電流が流れず、各コイルの周囲には右ネジの法則による磁界が発生しないため、ここでは、強磁性体である振動体１０は、ダンパ１５に支持されて磁石２０Ｕと磁石２０Ｌとの中間に位置している。
【００２２】
次に、コイル３０Ｕ，３０Ｌに供給される音響信号の振幅がプラスとなると、コイル３０Ｕにおいては、入力端３１Ａから入力端３１Ｂの方向へ電流が流れ、コイル３０Ｌにおいては、入力端３２Ａから入力端３２Ｂの方向へ電流が流れ、図５において二点鎖線で示したように、各コイルの周囲においては右ネジの法則に従って同心円状に磁界が発生する。
【００２３】
ここで、図５に示したように、コイル３０Ｕのうち磁石２０ＵのＳ極側から見て配線パターンが時計回りとなっている部分（コイルの配線の断面中に「×」が記載されている部分）では、磁石２０Ｕの磁界の方向と同じ方向に磁界が発生する。また、コイル３０Ｕのうち磁石２０ＵのＳ極側から見て配線パターンが反時計回りとなっている部分（コイルの配線の断面中に「・」が記載されている部分）でも、磁石２０Ｕの磁界の方向と同じ方向に磁界が発生する。即ち、コイル３０Ｕにおいては磁石２０Ｕの磁界と同じ方向の磁界が発生するため、コイル３０Ｕに電流が流れていない場合と比較すると、磁石２０Ｕ側の磁界は強くなる。
【００２４】
一方、図５に示したように、コイル３０Ｌのうち磁石２０ＵのＳ極側から見て配線パターンが時計回りとなっている部分（コイルの配線の断面中に「×」が記載されている部分）では、磁石２０Ｌの磁界の方向と反対方向に磁界が発生する。また、コイル３０Ｌにおいては、磁石２０ＵのＳ極側から見て配線パターンが反時計回りとなっている部分（コイルの配線の断面中に「・」が記載されている部分）でも、磁石２０Ｌの磁界の方向と反対方向に磁界が発生する。
コイル３０Ｌにおいては磁石２０Ｌと反対方向の磁界が発生するため、コイル３０Ｌに電流が流れていない場合と比較すると、磁石２０Ｌ側の磁界は弱くなる。
【００２５】
このように、コイル３０Ｕ，３０Ｌに流れる電流の振幅がプラスとなると、振動体１０から見て磁石２０Ｕ側の磁界が強まると共に磁石２０Ｌ側の磁界が弱まるため、強磁性体である振動体１０は磁界が強い磁石２０Ｕ側へ変位する。
【００２６】
次に、コイル３０Ｕ，３０Ｌに供給される音響信号の振幅がマイナスとなると、コイル３０Ｕにおいては、入力端３１Ｂから入力端３１Ａの方向へ電流が流れ、コイル３０Ｌにおいては、入力端３２Ｂから入力端３２Ａの方向へ電流が流れ、図６において二点鎖線で示したように、コイルの周囲においては右ネジの法則に従って同心円状に磁界が発生する。
【００２７】
ここで、図６に示したように、コイル３０Ｕのうち磁石２０ＵのＳ極側から見て配線パターンが時計回りとなっている部分（コイルの配線の断面中に「・」が記載されている部分）では、磁石２０Ｕの磁界の方向と反対方向に磁界が発生する。また、コイル３０Ｕのうち磁石２０ＵのＳ極側から見て配線パターンが反時計回りとなっている部分（コイルの配線の断面中に「×」が記載されている部分）でも、磁石２０Ｕの磁界の方向と反対方向に磁界が発生する。
即ち、コイル３０Ｕにおいては磁石２０Ｕの磁界と反対方向の磁界が発生するため、コイル３０Ｕに電流が流れていない場合と比較すると、磁石２０Ｕ側の磁界は弱くなる。
【００２８】
一方、図６に示したように、コイル３０Ｌのうち磁石２０ＵのＳ極側から見て配線パターンが時計回りとなっている部分（コイルの配線の断面中に「・」が記載されている部分）では、磁石２０Ｌの磁界の方向と同じ方向に磁界が発生する。また、コイル３０Ｌのうち磁石２０ＵのＳ極側から見て配線パターンが反時計回りとなっている部分（コイルの配線の断面中に「×」が記載されている部分）でも、磁石２０Ｌの磁界の方向と同じ方向に磁界が発生する。即ち、コイル３０Ｌにおいては磁石２０Ｌの磁界と同じ方向の磁界が発生するため、コイル３０Ｌに電流が流れていない場合と比較すると、磁石２０Ｌ側の磁界は強くなる。
【００２９】
このように、コイル３０Ｕ，３０Ｌに流れる電流の振幅がマイナスとなると、振動体１０から見て磁石２０Ｕ側の磁界が弱まると共に磁石２０Ｌ側の磁界が強まるため、強磁性体である振動体１０は磁界が強い磁石２０Ｌ側へ変位する。
【００３０】
このように本実施形態に係る平面スピーカ１においては、音響信号の振幅の正負に応じてコイル周囲に発生する磁界の方向が変化し、各コイルの磁界の方向に応じて振動体１０が上下に変位する。なお、各コイル周囲に生じる磁界の強さは、各コイルに流れる電流の大きさによって変化し、磁界の強さに応じて振動体１０の変位量も変化する。振動体１０の変位方向と変位量は音響信号の振幅に対応したものとなるため、振動体１０は音響信号の振幅に応じて振動し、その振動状態（振動数、振幅、位相）に応じた音が振動体１０から発生する。そして、発生した音は円環の形状をした磁石２０Ｕ，２０Ｌの穴を通って平面スピーカ１の外部に放射される。
【００３１】
本実施形態によれば、コイル３０Ｕ，３０Ｌは振動せず外部から力を受けないため、振動によるコイルの剥離や損傷などがない。また、コイルは外側に面しておらず人間や物に接触するおそれがないため、保護のためにコイルを被膜する必要がなく、製造に手間がかかることがない。
【００３２】
［第２実施形態］
次に、本発明の第２実施形態に係る平面スピーカ１Ａについて説明する。
本発明の第２実施形態に係る平面スピーカ１Ａは、外観は第１実施形態の平面スピーカ１と同じとなっているが、振動体１０を磁石２０Ｌに接着し、磁石２０Ｌを変位させて音を発生させる点で第１実施形態の平面スピーカ１と相違している。
【００３３】
図７は、本発明の第２実施形態に係る平面スピーカ１Ａの断面を模式的に示した図である。なお、以下の説明においては、平面スピーカ１Ａにおいて第１実施形態と同じ部分については同一の符号を付し、その説明を省略する。
【００３４】
保持部４１Ｌは、円筒の形状であって、絶縁性を有する非磁性体（例えばプラスチック）で形成されている。保持部４１Ｌと第１実施形態の保持部４０Ｌとを比較すると、保持部４０Ｌが、円形の開口部の一方に円環状に張り出した部分を有しているのに対し、保持部４１Ｌは、この部分を備えていない点で相違している。
【００３５】
支持部材５０は、磁石２０Ｕを支持するための部材であって円環の形状となっている。支持部材５０は、絶縁性を有する非磁性体（例えばプラスチック）で形成されており、内径は磁石２０Ｕの外径より若干大きく、外径は保持部４０Ｕの内径より若干小さくなっている。
【００３６】
フィルム３５に配線されるコイル３０ＬＡは、図８に示したようにコイル３０Ｌと配線パターンの向きが逆となっており、フィルム３５をコイル３０ＬＡが配置されている側から見ると、外側から内側に向けて反時計回り（左回り）に配線パターンが設けられ、フィルム３５の内周と外周との間の所定部分に達すると、配線パターンの向きが反対の時計方向（右回り）となっている。
【００３７】
（平面スピーカ１Ａの全体構成）
平面スピーカ１Ａにおいては、コイル３０ＬＡが配置されたフィルム３５が磁石２０ＬのＮ極側に接着されており、この磁石２０Ｌがダンパ１５の内周側に接着されている。また、振動体１０が、円環の形状をした磁石２０Ｌの穴を塞ぐようにして磁石２０Ｌに接着されている。なお、本実施形態においては、振動体１０は非磁性であり軽量で剛性があるものが好ましい。
そして、ダンパ１５が接着された磁石２０Ｌは保持部４１Ｌの内側に収められ、ダンパ１５の外周側が保持部４１Ｌに固着されている。なお、コイル３０ＬＡの入力端３２Ａはリード線（図示略）を介して端子４０ＬＡに接続されており、入力端３２Ｂはリード線（図示略）を介して端子４０ＬＢに接続されている。
【００３８】
一方、コイル３０Ｕが配置されたフィルム３５は、磁石２０ＵのＮ極側に接着されており、この磁石２０Ｕは支持部材５０の内周側に接着されている。
そして、支持部材５０が接着された磁石２０Ｕは、保持部４０Ｕの第４開口部側からＳ極側を第３開口部に向けて保持部４０Ｕに収められ、Ｓ極側が第３開口部の円環状に張り出した部分に接着されている。なお、コイル３０Ｕの入力端３１Ａは、リード線（図示略）を介して端子４０ＵＡに接続されており、入力端３１Ｂは、リード線（図示略）を介して端子４０ＵＢに接続されている。
【００３９】
そして、保持部４０Ｕの第４開口部側の端部と、保持部４０Ｌの一方の開口部側の端部とが接着され、平面スピーカ１Ａにおいては、磁石２０ＵのＮ極と磁石２０ＬのＮ極とが対向して位置している。また、平面スピーカ１Ａにおいては、コイル３０Ｕはコイル３０ＬＡと対向し、コイル３０Ｕとコイル３０ＬＡとを磁石２０ＵのＳ極側から見ると、その配線パターンの向きは互いに逆向きとなっている。
【００４０】
なお、平面スピーカ１Ａにおいては、磁石２０Ｌはダンパ１５により保持部４１Ｌの内側に支持され、このダンパ１５の弾性により上下に変位可能となっている。
また、平面スピーカ１Ａにおいては磁石２０ＵのＮ極と磁石２０ＬのＮ極とが対向しているため、磁石２０Ｌは磁石２０Ｕと反発し、反発力とダンパ１５が磁石２０Ｌを支持する力とが釣り合う場所に位置する。
【００４１】
（平面スピーカ１Ａの動作）
次に、平面スピーカ１Ａの動作について、図９，図１０を用いて説明する。
なお、以下の説明においては、図４に示した音響信号が入力された場合を例にして動作の説明を行う。また、図９，図１０は平面スピーカ１Ａの作用を説明するための図であって、コイル３０Ｕ，３０ＬＡの部分を拡大した図であり、コイルの配線の断面中に「・」が記載されたものは図面の裏から表に向かって電流が流れていることを意味し、コイル断面中に「×」が記載されたものは図面の表から裏に向かって電流が流れていることを意味するものとする。また、図中の二点鎖線上の矢印は、コイルに電流が流れたことにより発生する磁界の方向を表している。
【００４２】
図４に示した信号が入力端３１Ａ，３１Ｂおよび入力端端子３２Ａ，３２Ｂに供給された場合、まず、音響信号の振幅が０の時点においては、コイル３０Ｕ，３０ＬＡのいずれにも電流が流れず、各コイルの周囲には右ネジの法則による磁界が発生しないため、ここでは、磁石２０Ｌは磁石２０Ｕと反発し、反発力とダンパ１５が磁石２０Ｌを支持する力とが釣り合う位置で磁石２０Ｌは静止している。
【００４３】
次に、コイル３０Ｕ，３０ＬＡに供給される音響信号の振幅がプラスとなると、コイル３０Ｕにおいては、入力端３１Ａから入力端３１Ｂの方向へ電流が流れ、コイル３０ＬＡにおいては、入力端３２Ａから入力端３２Ｂの方向へ電流が流れ、図９において二点鎖線で示したように、コイルの周囲においては右ネジの法則に従って同心円状に磁界が発生する。
【００４４】
ここで、図９に示したように、コイル３０Ｕのうち磁石２０ＵのＳ極側から見て配線パターンが時計回りとなっている部分（コイルの配線の断面中に「×」が記載されている部分）では、磁石２０Ｕの磁界の方向と同じ方向に磁界が発生する。また、コイル３０Ｕのうち磁石２０ＵのＳ極側から見て配線パターンが反時計回りとなっている部分（コイルの配線の断面中に「・」が記載されている部分）でも、磁石２０Ｕの磁界の方向と同じ方向に磁界が発生する。即ち、コイル３０Ｕにおいては磁石２０Ｕの磁界と同じ方向の磁界が発生するため、コイル３０Ｕに電流が流れていない場合と比較すると、磁石２０Ｕ側の磁界は強くなる。
【００４５】
一方、図９に示したように、コイル３０ＬＡのうち磁石２０ＵのＳ極側から見て配線パターンが時計回りとなっている部分（コイルの配線の断面中に「・」が記載されている部分）では、磁石２０Ｌの磁界の方向と同じ方向に磁界が発生する。また、コイル３０ＬＡのうち磁石２０ＵのＳ極側から見て配線パターンが反時計回りとなっている部分（コイルの配線の断面中に「×」が記載されている部分）でも、磁石２０Ｌの磁界の方向と同じ方向に磁界が発生する。即ち、コイル３０ＬＡにおいては磁石２０Ｌの磁界と同じ方向の磁界が発生するため、コイル３０Ｕに電流が流れていない場合と比較すると、磁石２０Ｌ側の磁界は強くなる。
【００４６】
このように、コイル３０Ｕ，３０ＬＡに流れる電流の振幅がプラスとなると、コイル３０Ｕ周辺の磁界が強まると共にコイル３０ＬＡ周辺の磁界も強まり、磁石２０Ｌと磁石２０Ｕとの間で反発する力が強くなるため、変位可能となっている磁石２０Ｌは磁石２０Ｕと反対の方向へ振動体１０と共に変位する。
【００４７】
次に、コイル３０Ｕ，３０Ｌに供給される音響信号の振幅がマイナスとなると、コイル３０Ｕにおいては、入力端３１Ｂから入力端３１Ａの方向へ電流が流れ、コイル３０ＬＡにおいては、入力端３２Ｂから入力端３２Ａの方向へ電流が流れ、図１０において二点鎖線で示したように、コイルの周囲においては右ネジの法則に従って同心円状に磁界が発生する。
【００４８】
ここで、図１０に示したように、コイル３０Ｕのうち磁石２０ＵのＳ極側から見て配線パターンが時計回りとなっている部分（コイルの配線の断面中に「・」が記載されている部分）では、磁石２０Ｕの磁界の方向と反対方向に磁界が発生する。また、コイル３０Ｕのうち磁石２０ＵのＳ極側から見て配線パターンが反時計回りとなっている部分（コイルの配線の断面中に「×」が記載されている部分）でも、磁石２０Ｕの磁界の方向と反対方向に磁界が発生する。即ち、コイル３０Ｕにおいては磁石２０Ｕの磁界と反対方向の磁界が発生するため、コイル３０Ｕに電流が流れていない場合と比較すると、磁石２０Ｕ側の磁界は弱くなる。
【００４９】
また、図１０に示したように、コイル３０ＬＡのうち磁石２０ＵのＳ極側から見て配線パターンが時計回りとなっている部分（コイルの配線の断面中に「×」が記載されている部分）では、磁石２０Ｌの磁界の方向と反対方向に磁界が発生する。また、コイル３０ＬＡのうち磁石２０ＵのＳ極側から見て配線パターンが反時計回りとなっている部分（コイルの配線の断面中に「・」が記載されている部分）でも、磁石２０Ｌの磁界の方向と反対方向に磁界が発生する。即ち、コイル３０ＬＡにおいては磁石２０Ｌの磁界の方向と反対方向の磁界が発生するため、コイル３０ＬＡに電流が流れていない場合と比較すると、磁石２０Ｌ側の磁界は弱くなる。
【００５０】
このように、コイル３０Ｕ，３０ＬＡに流れる電流の振幅がマイナスとなると、コイル３０Ｕ周辺の磁界が弱まると共にコイル３０ＬＡ周辺の磁界も弱まり、磁石２０Ｌが磁石２０Ｕに対して反発する力が弱くなるため、ダンパ１５の弾性力で引き戻されて磁石２０Ｌは振動体１０と共に磁石２０Ｕの方向へ変位する。
【００５１】
このように本実施形態に係る平面スピーカ１Ａにおいては、音響信号の振幅の正負に応じてコイル周囲に発生する磁界の方向が変化し、各コイルの磁界の方向に応じて磁石２０Ｌと共に振動体１０が上下に変位する。
なお、各コイル周囲に生じる磁界の強さは、各コイルに流れる電流の大きさによって変化し、磁界の強さに応じて磁石２０Ｌおよび振動体１０の変位量も変化する。振動体１０の変位方向と変位量は、音響信号の振幅に対応したものとなるため、振動体１０は音響信号の振幅に応じて振動し、その振動状態（振動数、振幅、位相）に応じた音が振動体１０から発生する。そして、発生した音は、円環の形状をした磁石２０Ｕ，２０Ｌの穴を通って平面スピーカ１Ａの外部に放射される。
【００５２】
本実施形態によれば、コイル３０Ｕ，３０ＬＡは外部から力を受けないため、振動によるコイルの剥離や損傷などがない。また、コイルは外側に面しておらず人間や物に接触するおそれがないため、保護のためにコイルを被膜する必要がなく、製造に手間がかかることがない。
【００５３】
［変形例］
以上、本発明の実施形態について説明したが、本発明は上述した実施形態に限定されることなく、他の様々な形態で実施可能である。例えば、上述の実施形態を以下のように変形して本発明を実施してもよい。
【００５４】
上述した第１実施形態においては、磁石２０Ｕ，２０Ｌの一方の面側がＮ極で他方の面側がＳ極となっているが、磁石を同心円状に並べて図１１に示したように半径方向へＮ極とＳ極とが交互に並ぶようにしてもよい。
図１１は、この変形例の断面を模式的に示した図である。なお、図１１においては図面が繁雑になるのを防ぐために磁石２０ＵＡ，２０ＬＡとコイル３０ＵＢ，３０ＬＢと振動体１０およびフィルム３５のみを図示している。
この構成において磁石２０ＵＡ側に配置するコイル３０ＵＢは、入力端３１Ａから入力端３１Ｂへ電流を流したときの電流の向きが図１１の向きとなるように配線し、磁石２０ＬＡ側に配置するコイル３０ＬＢは、入力端３２Ａから入力端３２Ｂへ電流を流したときの電流の向きが図１１の向きとなるように配線する。
この構成においても、図１１に示した方向に電流が流れると磁石２０ＵＡ側の磁界が強くなる一方、磁石２０ＬＡ側の磁界が弱くなり、振動体１０は磁石２０ＵＡ側へ変位する。また、図１１に示したのと反対方向に電流が流れると磁石２０ＵＡ側の磁界が弱くなる一方、磁石２０ＬＡ側の磁界が強くなり、振動体１０は磁石２０ＬＡ側へ変位する。
【００５５】
また、上述した第２実施形態においても、磁石２０Ｕに替えて磁石２０ＵＡを用い、磁石２０Ｌに替えて磁石２０ＬＡを用いてもよい。
図１２は、この変形例の断面を模式的に示した図である。なお、図１２においても図面が繁雑になるのを防ぐために磁石２０ＵＡ，２０ＬＡとコイル３０ＵＣ，３０ＬＣと振動体１０およびフィルム３５のみを図示している。
この構成において磁石２０ＵＡ側に配置するコイル３０ＵＣは、入力端３１Ａから入力端３１Ｂへ電流を流したときの電流の向きが図１２の向きとなるように配線し、磁石２０ＬＡ側に配置するコイル３０ＬＣは、入力端３２Ａから入力端３２Ｂへ電流を流したときの電流の向きが図１２の向きとなるように配線する。
この構成においても、図１２に示した方向に電流が流れると磁石２０ＵＡ側の磁界が強くなると共に磁石２０ＬＡ側の磁界が強くなり、磁石２０ＬＡは振動体１０と共に磁石２０ＵＡと反対側へ変位する。また、図１２に示したのと反対方向に電流が流れると磁石２０ＵＡ側の磁界が弱くなると共に磁石２０ＬＡ側の磁界も弱くなり、磁石２０ＬＡは振動体１０と共に磁石２０ＵＡ側へ変位する。
【００５６】
なお、図１１および図１２に示した構成においては、磁石においてコイルが配置されている側の面と反対側の面に磁石と同じ円環形状の鉄板を取り付けるようにしてもよい。
【００５７】
上述した実施形態においては、平面スピーカ１，１Ａを磁石２０ＵのＳ極側から見た時の形状は円環の形状となっているが、中央部分に穴が開いているのであれば矩形や多角形など他の形状であってもよい。
【００５８】
上述した第１実施形態においては、磁石２０Ｕ，２０Ｌの形状は円環の形状となっているが、各磁石を円板の形状とし、各コイルの配線パターンの隙間に磁石を貫通する穴を複数設けるようにしてもよい。この構成によれば、振動体１０が外部に露出しないので振動体１０が他の物に触れて破損する虞がなく、また、振動体１０により発生した音が、この孔を通って外部に放射される。
【００５９】
上述した第２実施形態においては、磁石２０ＵのＳ極側から見たときの各コイルの配線パターンの向きを第１実施形態と同じとし、磁石２０Ｌ側のコイルについては、磁石２０Ｕ側のコイルに供給する音響信号と逆相の音響信号を供給するようにしてもよい。
また、第１実施形態においては、磁石２０ＵのＳ極側から見たときの各コイルの配線パターンの向きを第２実施形態と同じとし、磁石２０Ｌ側のコイルについては、磁石２０Ｕ側のコイルに供給する音響信号と逆相の音響信号を供給するようにしてもよい。
【００６０】
上述した実施形態においては音響信号が入力される端子は端子４０ＵＡ，４０ＵＢ，４０ＬＡ，４０ＬＢの４つとなっているが、端子を２つとし、一方の端子を入力端３１Ａ，３２Ａに接続し、もう一方の端子を入力端３１Ｂ，３２Ｂと接続するようにしてもよい。
【００６１】
上述した実施形態においては、コイル３０Ｕ，３０Ｌ，３０ＬＡは、配線の方向が内周側で外周側と逆となっているが、内周側で外周側と逆方向となっている配線部分を設けないようにしてもよい。
【００６２】
上述した第１実施形態と第２実施形態においては、磁石２０ＵのＮ極と磁石２０ＬのＮ極とが対向しているが、磁石２０ＵのＳ極と磁石２０ＬのＳ極を対向させ、Ｓ極の表面にコイルを配置するようにしてもよい。
【図面の簡単な説明】
【００６３】
【図１】本発明の一実施形態に係る平面スピーカ１の外観図である。
【図２】平面スピーカ１の断面図である。
【図３】コイル３０Ｕ，３０Ｌの配線パターンの模式図である。
【図４】平面スピーカ１に入力される音響信号を例示した図である。
【図５】平面スピーカ１の作用を説明するための図である。
【図６】平面スピーカ１の作用を説明するための図である。
【図７】本発明の第２実施形態に係る平面スピーカ１Ａの断面図である。
【図８】コイル３０ＬＡの配線パターンの模式図である。
【図９】平面スピーカ１Ａの作用を説明するための図である。
【図１０】平面スピーカ１Ａの作用を説明するための図である。
【図１１】本発明の変形例に係る平面スピーカの断面の模式図である。
【図１２】本発明の変形例に係る平面スピーカの断面の模式図である。
【符号の説明】
【００６４】
１，１Ａ・・・平面スピーカ、１０・・・振動体、２０Ｕ，２０Ｌ、２０ＵＡ，２０ＬＡ・・・磁石、３０Ｕ，３０Ｌ，３０ＬＡ，３０ＵＢ，３０ＬＢ，３０ＵＣ，３０ＬＣ・・・コイル、３１Ａ，３１Ｂ，３２Ａ，３２Ｂ・・・入力端、３５・・・フィルム、４０Ｕ，４０Ｌ，４１Ｌ・・・保持部、４０ＵＡ，４０ＵＢ，４０ＬＡ，４０ＬＢ・・・端子、５０・・・支持部材
【図１】
2009278517.tif 000003
【図２】
2009278517.tif 000004
【図３】
2009278517.tif 000005
【図４】
2009278517.tif 000006
【図５】
2009278517.tif 000007
【図６】
2009278517.tif 000008
【図７】
2009278517.tif 000009
【図８】
2009278517.tif 000010
【図９】
2009278517.tif 000011
【図１０】
2009278517.tif 000012
【図１１】
2009278517.tif 000013
【図１２】
2009278517.tif 000014